(57)【要約】【課題】例えば、オフィスに配設された複数の照明器具の制御において、低コストで省エネルギーを実現することが可能な照明制御システム、照明制御装置及び照明制御プログラムを提供する。【解決手段】複数の照明器具６の調光度を制御する照明制御装置１と、作業用の端末装置４が接続された端末接続装置３とを接続する。端末接続装置３は、接続されている端末装置４の起動状況を検出する。照明制御装置１は、端末接続装置３が検出した端末装置４の起動状況に基づいて、各照明器具６の調光度を決定し、決定した調光度に基づいて、照明器具６を制御する。【選択図】図１
2019040817.tif 000002
【特許請求の範囲】
【請求項１】
複数の照明器具の調光度を制御する照明制御装置と、作業用の端末装置が接続された接続装置とを接続した照明制御システムであって、
前記接続装置は、
接続されている前記端末装置の起動状況を検出する起動状況検出部を備え、
前記照明制御装置は、
前記接続装置が検出した前記端末装置の起動状況に基づいて、前記各照明器具の調光度を決定する調光度決定手段と、
前記調光度決定手段が決定した調光度に基づいて、前記各照明器具を制御する照明制御手段を備える
ことを特徴とする照明制御システム。
【請求項２】
請求項１に記載の照明制御システムであって、
前記接続装置が備える起動状況検出部は、
有線接続されている前記端末装置との有線通信が確立されているか否かを判定した結果に基づいて、起動状況を検出するようにしてあり、検出した起動状況は、有線接続されている前記端末装置との有線通信が確立されているか否かを検出した結果を通知する通信規約の規定に基づいて、前記照明制御装置へ通知する
ことを特徴とする照明制御システム。
【請求項３】
請求項１又は請求項２に記載の照明制御システムであって、
前記照明制御装置が備える調光度決定手段は、
前記端末装置の起動状況及び配置、並びに前記照明器具の配置に基づいて、前記各照明器具の調光度を決定する
ことを特徴とする照明制御システム。
【請求項４】
請求項１乃至請求項３のいずれか１項に記載の照明制御システムであって、
前記照明制御装置は、
前記照明器具の調光度を決定する複数の決定方法を、優先度に対応付けて記録する記録部を備え、
前記調光度決定手段による調光度の決定は、前記記録部に記録されている複数の決定方法のうちの一つである
ことを特徴とする照明制御システム。
【請求項５】
作業用の端末装置を接続可能であり、複数の照明器具を制御する照明制御装置であって、
接続されている前記端末装置の起動状況を検出する起動状況検出手段と、
前記起動状況検出手段が検出した前記端末装置の起動状況に基づいて、前記各照明器具の調光度を決定する調光度決定手段と、
前記調光度決定手段が決定した調光度に基づいて、前記各照明器具を制御する照明制御手段と
を備えることを特徴とする照明制御装置。
【請求項６】
作業用の端末装置が接続されたコンピュータに、複数の照明器具を制御させる照明制御プログラムであって、
接続されている前記端末装置の起動状況を検出する起動状況検出ステップと、
検出した前記端末装置の起動状況に基づいて、前記各照明器具の調光度を決定する調光度決定ステップと、
決定した調光度に基づいて、前記各照明器具を制御する照明制御ステップと
をコンピュータに実行させることを特徴とする照明制御プログラム。
【発明の詳細な説明】
【技術分野】
【０００１】
本発明は、複数の照明器具の調光度を制御する照明制御装置と、作業用の端末装置が接続された接続装置とを接続した照明制御システム、そのような照明制御システムにて用いられる照明制御装置、及びそのような照明制御装置を実現するための照明制御プログラムに関する。
【背景技術】
【０００２】
昨今の照明制御においては、照明器具毎に、点灯及び消灯を含む多段階の調光度制御をすることが可能となっている。そして、オフィス内の各座席に人の存在を検知する人感センサを配設し、配設した人感センサの検出結果に基づいて、照明器具を制御する方法が開示されている（例えば、特許文献１参照。）。人感センサを用いた照明制御では、人が居ない座席の照明を消灯することができるので、省エネルギーを実現することができる。
【先行技術文献】
【特許文献】
【０００３】
【特許文献１】特開２０１７−２１９３２号公報
【発明の概要】
【発明が解決しようとする課題】
【０００４】
しかしながら、人感センサを用いて照明器具を制御する方法では、オフィス内の座席数と同数の人感センサを設置する必要があるため、工事期間の長期化、イニシャルコストの増大、レイアウト変更の際に人感センサの移設工事が必要となる等の人感センサの設置に伴う様々な問題がある。
【０００５】
本発明は斯かる事情に鑑みてなされたものであり、端末装置の起動状況に基づいて照明器具を制御する。これにより、人感センサを用いた場合に発生する諸問題を解決し、省エネルギーを実現することが可能な照明制御システムの提供を主たる目的とする。
【０００６】
また、本発明は、本発明に係る照明制御システムにて用いられる照明制御装置、及びそのような照明制御装置を実現するための照明制御プログラムの提供を他の目的とする。
【課題を解決するための手段】
【０００７】
上記課題を解決するために、本願記載の照明制御システムは、複数の照明器具の調光度を制御する照明制御装置と、作業用の端末装置が接続された接続装置とを接続した照明制御システムであって、前記接続装置は、接続されている前記端末装置の起動状況を検出する起動状況検出部を備え、前記照明制御装置は、前記接続装置が検出した前記端末装置の起動状況に基づいて、前記各照明器具の調光度を決定する調光度決定手段と、前記調光度決定手段が決定した調光度に基づいて、前記各照明器具を制御する照明制御手段を備えることを特徴とする。
【０００８】
また、本願記載の照明制御システムにおいて、前記接続装置が備える起動状況検出部は、有線接続されている前記端末装置との有線通信が確立されているか否かを判定した結果に基づいて、起動状況を検出するようにしてあり、検出した起動状況は、有線接続されている前記端末装置との有線通信が確立されているか否かを検出した結果を通知する通信規約の規定に基づいて、前記照明制御装置へ通知することを特徴とする。
【０００９】
また、本願記載の照明制御システムにおいて、前記照明制御装置が備える調光度決定手段は、前記端末装置の起動状況及び配置、並びに前記照明器具の配置に基づいて、前記各照明器具の調光度を決定することを特徴とする。
【００１０】
また、本願記載の照明制御システムにおいて、前記照明制御装置は、前記照明器具の調光度を決定する複数の決定方法を、優先度に対応付けて記録する記録部を備え、前記調光度決定手段による調光度の決定は、前記記録部に記録されている複数の決定方法のうちの一つであることを特徴とする。
【００１１】
更に、本願記載の照明制御装置は、作業用の端末装置を接続可能であり、複数の照明器具を制御する照明制御装置であって、接続されている前記端末装置の起動状況を検出する起動状況検出手段と、前記起動状況検出手段が検出した前記端末装置の起動状況に基づいて、前記各照明器具の調光度を決定する調光度決定手段と、前記調光度決定手段が決定した調光度に基づいて、前記各照明器具を制御する照明制御手段とを備えることを特徴とする。
【００１２】
更に、本願記載の照明制御プログラムは、作業用の端末装置が接続されたコンピュータに、複数の照明器具を制御させる照明制御プログラムであって、接続されている前記端末装置の起動状況を検出する起動状況検出ステップと、検出した前記端末装置の起動状況に基づいて、前記各照明器具の調光度を決定する調光度決定ステップと、決定した調光度に基づいて、前記各照明器具を制御する照明制御ステップとをコンピュータに実行させることを特徴とする。
【００１３】
したがって、本願記載の照明制御システム、照明制御装置及び照明制御プログラムは、端末装置の起動状況に基づき照明器具を制御することができる。
【発明の効果】
【００１４】
本発明に係る照明制御システム、照明制御装置及び照明制御プログラムは、端末装置の起動状況を検出し、検出した端末装置の起動状況に基づいて、各照明器具の調光度を決定し、決定した調光度に基づいて、各照明器具を制御する。これにより、人感センサを用いずとも、照明器具を適切に制御し、省エネルギーを実現することが可能である等、優れた効果を奏する。
【図面の簡単な説明】
【００１５】
【図１】本願記載の照明制御システムの構成例を模式的に示す概略図である。
【図２】本願記載の照明制御システムにて用いられる照明制御装置の構成例を示すブロック図である。
【図３】本願記載の照明制御システムにて用いられる基幹接続装置の構成例及び端末接続装置の構成例並びに各装置の接続構成例を示すブロック図である。
【図４】本願記載の照明制御システムにて用いられる端末装置の構成例を示すブロック図である。
【図５】本願記載の照明制御システムにて用いられる器具制御装置の構成例を示すブロック図である。
【図６】本願記載の照明制御システムにて用いられる照明制御装置のデスクレイアウトデータベースの記録内容の一例を概念的に示す説明図である。
【図７】本願記載の照明制御システムにて用いられる照明制御装置の照明器具レイアウトデータベースの記録内容の一例を概念的に示す説明図である。
【図８】本願記載の照明制御システムにおける座席のレイアウトの一例を示す座席配置図である。
【図９】本願記載の照明制御システムにおける照明器具のレイアウトの一例を示す照明器具配置図である。
【図１０】本願記載の照明制御システムにて用いられる照明制御装置の優先度テーブルの記録内容の一例を概念的に示す説明図である。
【図１１】本願記載の照明制御システムにて用いられる照明制御装置の優先度ステータステーブルに各レイアのステータスを示す情報が格納された複数例を概念的に示す説明図である。
【図１２】本願記載の照明制御システムにて用いられる照明制御装置の照明制御処理の一例を示すフローチャートである。
【図１３】本願記載の照明制御システムにて用いられる照明制御装置の調光度制御処理の一例を示すフローチャートである。
【図１４】本願記載の照明制御システムによる在席検知制御の概要を模式的に示す説明図である。
【図１５】本願記載の照明制御システムによる在席検知制御の結果の一例を示す説明図である。
【発明を実施するための形態】
【００１６】
以下、本発明の実施形態について図面を参照しながら説明する。なお、以下の実施形態は、本発明を具現化した一例であって、本発明の技術的範囲を限定する性格のものではない。
【００１７】
［照明制御システムの全体構成］
図１は、本願記載の照明制御システムの構成例を模式的に示す概略図である。本願記載の照明制御システムは、例えば、オフィスビル等の建造物内に配設され、サーバコンピュータを用いた照明制御装置１にて、建造物内に配設されたＬＥＤ照明等の複数の照明器具６を制御するシステムである。照明制御装置１は、建造物内にＬＡＮ（Local Area Network）等のネットワークを構築するルータ、ブリッジ、ゲートウェイ等の基幹接続装置２に接続されている。基幹接続装置２には、オフィスビル内の各フロア及びエリアにそれぞれ配置されるスイッチングハブ等の端末接続装置３（接続装置）が接続されている。そして、端末接続装置３には、フロア内の各座席にそれぞれ配置された事務作業用のパーソナルコンピュータ等の端末装置４が接続されている。また、基幹接続装置２には、オフィスビル内に配設された照明器具６を個別制御する器具制御装置５がフロア毎にそれぞれ接続されており、フロア毎の器具制御装置５は、それぞれのフロアに配設された各照明器具６の調光度を個別制御する。器具制御装置５による個別制御の対象となる照明器具６とは、器具制御装置５が制御可能な最小単位の機器を示している。
【００１８】
［各装置のハードウェア構成］
次に、本願記載の照明制御システムにて用いられる各装置のハードウェア構成について説明する。図２は、本願記載の照明制御システムにて用いられる照明制御装置１の構成例を示すブロック図である。照明制御装置１は、サーバコンピュータ等のコンピュータを用いて構成され、制御部１０、記録部１１、記憶部１２、通信部１３等の各種回路を備えている。
【００１９】
制御部１０は、情報処理回路、計時回路、レジスタ回路等の各種回路を備え、装置内の各部を制御する処理を実行するＣＰＵ（Central Processing Unit ）等のプロセッサである。
【００２０】
記録部１１は、ハードディスクドライブ、ＲＡＩＤ（Redundant Arrays of Inexpensive Disks ）、フラッシュメモリ（Flash Memory）等の不揮発性メモリを用いて構成される回路であり、各種プログラム及びデータ等の様々な情報を記録している。
【００２１】
記録部１１には、基本プログラム（ＯＳ：Operating System）、基本プログラム上で動作する応用プログラム（アプリケーションプログラム）等のプログラムが記録されている。応用プログラムとしては、本願記載の照明制御装置１を実現する照明制御プログラム１１ａ等の各種プログラムが記録されている。また、記録部１１の記録領域の一部は、各端末装置４の配置に関する情報を記録したデスクレイアウトデータベース１１ｂ、各照明器具６の配置に関する情報を記録した照明器具レイアウトデータベース１１ｃ、照明器具６の調光度を決定する決定方法の優先順位を記録した優先度テーブル１１ｄ、優先度が付与された決定方法のステータスを記録した優先度ステータステーブル１１ｅ、照明制御のスケジュールを記録したスケジュールテーブル１１ｆ等の各種データベースとして用いられている。なお、デスクレイアウトデータベース１１ｂ、照明器具レイアウトデータベース１１ｃ、優先度テーブル１１ｄ、優先度ステータステーブル１１ｅ、スケジュールテーブル１１ｆ等の各データベースは、照明制御装置１に接続されたデータベースサーバ等の他の装置に記録し、照明制御装置１から必要に応じてアクセスするように構成することも可能である。
【００２２】
記憶部１２は、各種ＲＡＭ（Random Access Memory）等の揮発性メモリを用いて構成される回路であり、各種プログラムの実行に際して発生するデータを一時的に記憶する。なお、便宜上、記録部１１及び記憶部１２を異なる回路として示しているが、一の回路で構成しても良く、また相互にその機能を補完することも可能である。
【００２３】
通信部１３は、ＬＡＮポート及び制御回路並びに各種ソフトウェアにて構成される回路であり、基幹接続装置２を介してネットワーク上の各種装置に接続されている。
【００２４】
以上のように構成された照明制御装置１は、制御部１０の制御により、記録部１１に記録されている照明制御プログラム１１ａ等の各種プログラムを読み取り、一時的に発生する情報を記憶部１２に記憶して照明制御プログラム１１ａ等の各種プログラムを実行する。これにより、コンピュータは、本願記載の照明制御装置１として機能する。
【００２５】
図３は、本願記載の照明制御システムにて用いられる基幹接続装置２の構成例及び端末接続装置３の構成例並びに各装置の接続構成例を示すブロック図である。基幹接続装置２は、ルータ、ブリッジ、ゲートウェイ等の通信装置を用いて構成され、制御部２０、記録部２１、記憶部２２、通信部２３等の各種回路を備えている。基幹接続装置２は、通信部２３により、照明制御装置１、端末接続装置３、器具制御装置５等の各種装置と通信可能に接続されている。基幹接続装置２は、ＬＡＮを構成して各装置間の通信を制御する。また、基幹接続装置２は、ＷＡＮ（Wide Area Network ）、インターネット等の外部の通信網に接続することも可能である。
【００２６】
端末接続装置３は、スイッチングハブ等の通信装置を用いて構成され、制御部３０、記録部３１、記憶部３２、通信部３３等の各種回路を備えている。端末接続装置３は、通信部３３を介して基幹接続装置２、端末装置４等の各種装置とＬＡＮケーブル等の通信線にて有線接続されている。端末接続装置３は、基幹接続装置２、端末装置４等の他の装置と、ＴＣＰ／ＩＰ（Transmission Control Protocol / Internet Protocol ）、ＵＤＰ（User Datagram Protocol）等の様々な通信規約（プロトコル）に基づいて通信する。更に、端末接続装置３は、ＴＣＰ／ＩＰ等のプロトコル群に基づいて有線通信する端末装置４を監視するアプリケーション層プロトコルとして、ＳＮＭＰ（Simple Network Management Protocol ）等の通信規約を実装している。端末接続装置３は、通信規約として規定されたＳＮＭＰに基づいて、端末装置４の起動状況を、基幹接続装置２を介して照明制御装置１へ通知する。より詳細には、端末接続装置３は、ＬＡＮポート及び制御回路並びに各種ソフトウェアにて構成される通信部１３（起動状況検出部）を制御部１０にて制御することにより、自装置とＬＡＮケーブル等の通信線にて有線接続された端末装置４との有線通信による接続が確立されている否か（Link up / Link down ）を判定し、有線通信が確立されていると判定した場合（Link up）、端末装置４が起動しているとして起動状況を検出する。そして、端末接続装置３は、検出した結果を、ＳＮＭＰとして規定される通信規約に基づき、基幹接続装置２を介して照明制御装置１へ通知する。また、端末接続装置３は、有線通信が確立されていないと判定した場合（Link down ）、端末装置４が起動していないとして起動状況を検出し、検出した結果を照明制御装置１へ通知する。
【００２７】
図４は、本願記載の照明制御システムにて用いられる端末装置４の構成例を示すブロック図である。各種事務作業に用いられ、作業の担当者に操作される端末装置４は、デスクトップ型、ノート型等の型のオフィス用のパーソナルコンピュータを用いて構成されており、制御部４０、記録部４１、記憶部４２、入力部４３、出力部４４、通信部４５等の各種回路を備えている。
【００２８】
入力部４３は、入力に用いられるキーボード、マウス等の付属機器である。出力部４４は、出力に用いられる液晶モニタ等の付属機器である。
【００２９】
端末装置４は、通信部４５により、端末接続装置３を介して通信網に有線接続されている。
【００３０】
図５は、本願記載の照明制御システムにて用いられる器具制御装置５の構成例を示すブロック図である。器具制御装置５は、制御部５０、通信部５１、照明接続部５２、センサ接続部５３、スイッチ接続部５４等の各種回路を備えている。
【００３１】
照明接続部５２には、ＬＥＤ（Light Emitting Diode）等の発光素子を用いた複数の照明器具６が接続されている。照明制御装置１は、照明接続部５２を介して、照明器具６の調光度を制御する。照明器具６の調光度は、０〜１００までの複数段階で制御される。０は、消灯を示しており、１〜１００は、点灯を示している。調光度が１００の場合、照明器具６は設定されている最高出力で点灯することになり、調光度が最も高くなる。また、調光度が１の場合、照明器具は、設定されている最低出力で点灯することになり、点灯状態ではあるが、調光度は最も低くなる。そして、点灯状態における出力は、最高出力の１００から最低出力の１までの１００階調に分級して制御される。なお、消灯／点灯の２段階で制御するようにしてもよい。
【００３２】
センサ接続部５３には、照度センサ７が接続されている。照度センサ７は、フロアの様々なエリアに配設されており、配設された周辺の照度を検出し、検出した照度をセンサ接続部５３へ通知する。
【００３３】
スイッチ接続部５４は、壁等に配設されたスイッチ８に接続されており、スイッチ８に対する操作を検出する。スイッチ８としては、壁等に配置されたスイッチ具を用いてもよく、また、管理用のコンピュータを用いてもよい。なお、スイッチ８として、管理用のコンピュータを用いる場合、スイッチ接続部５４ではなく、基幹接続装置２に管理用のコンピュータを接続するようにしてもよい。
【００３４】
［照明器具６の調光度制御］
次に、本願記載の照明制御システムにおける照明器具６の調光度制御について説明する。本願記載の照明制御システムでは、各端末装置４が載置されたそれぞれの座席の配置及び各照明器具６の配置に基づいて各照明器具６の調光度が決定される。端末装置４が載置された座席の配置及び照明器具６の配置の関係は、照明制御装置１が備える記録部１１に設けられたデスクレイアウトデータベース１１ｂ及び照明器具レイアウトデータベース１１ｃに記録されている。また、各照明器具６の調光度の決定方法の選択には、照明制御装置１が備える記録部１１に設けられた優先度テーブル１１ｄ、優先度ステータステーブル１１ｅ及びスケジュールテーブル１１ｆの記録内容が用いられる。スケジュールテーブル１１ｆに記録されているスケジュールとは、例えば、昼休みの時間帯になると強制的に消灯する強制スケジュール、深夜時間帯になると消灯する通常スケジュール等のスケジュールがある。
【００３５】
図６は、本願記載の照明制御システムにて用いられる照明制御装置１のデスクレイアウトデータベース１１ｂの記録内容の一例を概念的に示す説明図である。デスクレイアウトデータベース１１ｂには、座席に載置された端末装置４の配置に関する各種情報が、各種項目に対応付けられたテーブル形式で記録されている。デスクレイアウトデータベース１１ｂに記録されている各種項目は、端末装置ＩＤ、ＩＰアドレス、照明範囲、在席状況フラグ等の項目であり、端末装置４毎に、これらの項目のそれぞれに対応する情報が記録されている。端末装置ＩＤとは、端末装置４を識別する情報である。ＩＰアドレスとは、端末装置４のネットワーク上における論理的な位置を示す情報である。照明範囲とは、端末装置４が載置された座席を照らす照明器具６を示す情報である。在席状況フラグとは、端末装置４の担当者が在席か否かを示すフラグであり、在席状況に応じて動的に更新される。在席状況フラグには、端末接続装置３から受信した端末装置４の起動状況に基づいて、例えば、担当者が在席の場合には、「１」が格納され、不在の場合には、「０」が格納される。
【００３６】
デスクレイアウトデータベース１１ｂの照明範囲について更に詳述する。照明範囲の項目には、照明器具ＩＤ及び調光度を対応付けた情報組が１又は複数示されており、照明器具ＩＤ及び調光度の対応付けにより、当該端末装置４を照らす照明器具６及びその調光度を規定している。例えば、端末装置４が載置された座席の直上又は直近の照明器具６を示す照明器具ＩＤには、調光度「１００」が対応付けられ、直上又は直近の照明器具６の周辺に配置された照明器具６を示す照明器具ＩＤには、調光度「５０」が対応付けられる。なお、例えば、共用として利用されるため常時起動状態で使用される端末装置４については、照明範囲の項目は空欄となり、後述する調光度の在席検知制御の対象とはならず、他の制御方法により調光度が制御される。
【００３７】
図７は、本願記載の照明制御システムにて用いられる照明制御装置１の照明器具レイアウトデータベース１１ｃの記録内容の一例を概念的に示す説明図である。照明器具データベースには、照明器具６の配置に関する各種情報が、各種項目に対応付けられたテーブル形式で記録されている。照明器具データベースに記録されている各種項目は、照明器具ＩＤ、照明器具番号、器具制御装置ＩＤ、端末装置範囲、手動制御フラグ、照明点滅ステータス等の項目であり、照明器具６毎に、これらの項目のそれぞれに対応する情報が記録されている。照明器具ＩＤとは、照明器具６を識別する情報である。なお、照明器具ＩＤは、デスクレイアウトデータベース１１ｂの照明範囲として記録された照明器具ＩＤに対応している。照明器具番号とは、照明器具６の製造の際に付与された固有の情報である。器具制御装置ＩＤとは、照明器具６が接続されている器具制御装置５を識別する情報である。端末装置範囲とは、照明器具６が照らす座席に載置された端末装置４を示す情報である。手動制御フラグは、照明器具６が手動制御にて制御されているか否かを示すフラグであり、制御状況に応じて動的に更新される。手動制御フラグには、例えば、手動制御の場合には、「１」が格納され、照明制御装置１による自動制御の場合には、「０」が格納される。照明点滅ステータスは、照明器具６の調光度を示す情報であり、制御状況に応じて動的に更新される。例えば、照明点滅ステータスは、消灯を示す「０」及び点灯を示す「１」〜「１００」のうちのいずれかの数字が格納され、点灯時の出力は、最低出力での点灯を示す「１」から最高出力での点灯を示す「１００」までの複数階調にて示される。なお、消灯／点灯の２段階で制御する場合、「１」にて点灯を示し、「０」にて消灯を示すようにしてもよい。
【００３８】
照明器具レイアウトデータベース１１ｃの端末装置範囲について更に詳述する。端末装置範囲の項目には、端末装置ＩＤ及び調光度を対応付けた情報組が１又は複数示されており、端末装置ＩＤ及び調光度の対応付けにより、当該照明器具６により照らす端末装置４及びその場合の調光度を規定している。例えば、照明器具６の直下又は直近に載置された端末装置４を示す端末装置ＩＤには、調光度「１００」が対応付けられ、直下又は直近の端末装置４の周辺に載置された端末装置４を示す端末装置ＩＤには、調光度「５０」が対応付けられる。なお、例えば、端末装置４の載置位置から離れた通路等の位置に配設された照明器具６については、端末装置範囲の項目は空欄となり、後述する調光度の在席検知制御の対象とはならず、他の制御方法により調光度が制御される。なお、端末装置範囲の項目に示された端末装置ＩＤは、デスクレイアウトデータベース１１ｂに記録された端末装置ＩＤに対応している。また、デスクレイアウトデータベース１１ｂに記録された照明器具ＩＤ及び調光度の情報組と、照明器具レイアウトデータベース１１ｃに記録された端末装置ＩＤ及び調光度の情報組とは、それぞれに矛盾が無いように、それぞれの配置レイアウトに基づいて設定されている。
【００３９】
図８は、本願記載の照明制御システムにおける座席のレイアウトの一例を示す座席配置図である。また、図９は、本願記載の照明制御システムにおける照明器具６のレイアウトの一例を示す照明器具配置図である。図８の座席配置図には、それぞれ１又は複数台の端末装置４が載置された座席が、机を示す図形として示されている。図９の照明器具配置図には、照明器具６の配置が実線にて示されている。なお、図９では、座席との配置の関係を示すべく、机を示す図形が点線にて示されている。図６に例示したデスクレイアウトデータベース１１ｂ及び図７に例示した照明器具レイアウトデータベース１１ｃは、図８に例示する座席のレイアウト及び図９に例示した照明器具６のレイアウトに基づいて照明範囲の照明器具ＩＤ及び調光度、並びに端末装置範囲の端末装置ＩＤ及び調光度が設定される。
【００４０】
図１０は、本願記載の照明制御システムにて用いられる照明制御装置１の優先度テーブル１１ｄの記録内容の一例を概念的に示す説明図である。本願記載の照明制御システムでは、照明器具６の調光度の決定方法が複数あり、優先度テーブル１１ｄには、複数の決定方法が、優先度に対応付けて記録されている。優先度テーブル１１ｄには、レイア、制御方法、調光度、下位レイア等の項目毎に各種データがテーブル形式で記録されている。なお、図１０では、理解を容易にするために、制御方法の概要を示す制御概要の項目を追加して示している。レイアとは、優先度を数字として示す項目であり、数字が大きいほど、優先度が大きくなる。図１０に示すように「６０」、「５０」、「４０」、・・・と不連続の数字を設定しておくことにより、更なる制御方法を追加する場合、例えば、レイア「５０」とレイア「４０」との間の優先度の制御方法を追加する場合、レイア「４５」という、既に設定されている数字の間の数字を設定することができるので、設定作業時の利便性を高めることができる。制御方法の項目は、制御の名称を示しており、図１０では制御の概要を制御概要の項目に示している。調光度の項目は、照明器具６の調光度の制御範囲又は下位レイアへの依存を示すフラグが格納される。例えば、調光度の項目に「１００〜０」が示されている場合、調光度の設定として１００〜０のうちから決定される数値が示される。また、当該制御方法による調光度の決定を行わない場合、調光度の項目には、下位レイアへの依存を示す数値として「−１」が格納される。下位レイアの項目は、当該レイアでの制御を実施しない場合、下位のレイアでの制御を実施するか否かを示している。例えば、レイア「６０」の「手動制御」を実施しない場合、下位レイアは、「有効」であるので、下位レイアによる制御が実施されるが、レイア「０」の「無条件消灯」を実施しない場合、下位レイアは、「無効」であるので、下位レイアによる制御は実施されない。実質的には、最下位レイア以外のレイアには、「有効」が設定され、上位のレイアが実行されない場合、最下位レイアが実行されることになるので、最下位レイアには「無効」が設定されることになる。
【００４１】
優先度テーブル１１ｄに示された各制御方法について説明する。優先度が最高位の制御方法は、「手動制御」であり、レイア「６０」が設定されている。手動制御とは、器具制御装置５に接続されたスイッチ８、管理用のコンピュータ等の強制的な制御が可能な方法により、管理者が手動で制御する制御方法である。手動制御を行わない場合、優先度テーブル１１ｄの下位レイアの項目に「有効」が設定されているため、制御方法は、下位レイアに依存する。
【００４２】
レイア「６０」の次に優先度が高いレイア「５０」の制御方法は、「端末装置起動数制御」である。端末装置起動数制御とは、端末装置４の起動数に応じて調光度を制御する方法であり、起動している端末装置４の台数が所定数以上、所定数以下等の条件に基づいて制御が行われる。端末装置起動数制御を行わない場合、優先度テーブル１１ｄの下位レイアの項目に「有効」が設定されているため、制御方法は、下位レイアに依存する。
【００４３】
レイア「５０」の次に優先度が高いレイア「４０」の制御方法は、「照度センサ制御」である。照度センサ制御とは、照度センサ７による照度の検出結果に基づいて調光度を制御する方法であり、例えば、窓際の座席周辺の照明器具６において、外光の入射状況に応じて調光度を調整する場合に、照度センサ制御による制御が行われる。なお、照度センサ７による検出結果に基づいて照度センサ制御を行う場合、消灯に制御することはなく、どの程度の階調に制御するかということになるので、調光度の範囲は１００〜１に設定されている。照度センサ制御を行わない場合、優先度テーブル１１ｄの下位レイアの項目に「有効」が設定されているため、制御方法は、下位レイアに依存する。
【００４４】
レイア「４０」の次に優先度が高いレイア「３０」の制御方法は、「強制スケジュール制御」である。強制スケジュール制御とは、スケジュールテーブル１１ｆに記録されているスケジュールに基づいて調光度を制御する方法であり、例えば、昼休みの時間帯になると強制的に消灯する等のスケジュール制御が行われる。強制スケジュール制御は、後述する在席検知制御より優先度が高いことから、例えば、端末装置４を操作する担当者が昼休み中に外出から戻ってきたとしても、照明器具６は点灯しないことになる。他方、強制スケジュール制御より、手動制御の方が、優先度が高いことから、例えば、非常時、来客時等の点灯が必要な状況下においては、手動制御することにより、昼休み中であっても照明器具６を点灯させることが可能である。強制スケジュール制御を行わない場合、優先度テーブル１１ｄの下位レイアの項目に「有効」が設定されているため、制御方法は、下位レイアに依存する。
【００４５】
レイア「３０」の次に優先度が高いレイア「２０」の制御方法は、「在席検知制御」である。在席検知制御とは、端末装置４を使用するユーザの在席状況に基づいて調光度を制御する方法であり、在席状況は、端末装置４の起動状況に基づいて判定する。端末装置４の起動状況の検出は、デスクレイアウトデータベース１１ｂの在席状況フラグを参照することで、ＳＮＭＰ等の通信規約にて端末接続装置３から通知された起動状況を検出することにより実行される。即ち、端末装置４が起動されて有線通信が確立されている場合にユーザは在席であると判定し、有線通信が確立されていない場合にユーザは不在であると判定する。そして、判定した在席状況に基づいて、調光度が制御される。なお、端末装置４の起動状況に基づき在席を検知して在席検知制御を行う場合、消灯に制御することはなく、どの程度の階調に制御するかということになるので、調光度の範囲は１００〜１に設定されている。在席検知制御を行わない場合、優先度テーブル１１ｄの下位レイアの項目に「有効」が設定されているため、制御方法は、下位レイアに依存する。
【００４６】
レイア「２０」の次に優先度が高いレイア「１０」の制御方法は、「通常スケジュール制御」である。通常スケジュール制御とは、スケジュールテーブル１１ｆに記録されているスケジュールに基づいて調光度を制御する方法であり、例えば、深夜の時間帯になると消灯する等のスケジュール制御が行われる。通常スケジュール制御より、在席検知制御の方が、優先度が高いことから、例えば、深夜時間帯であっても、作業の担当者が端末装置４を起動して使用している場合には、照明器具６が点灯する。通常スケジュールを行わない場合、優先度テーブル１１ｄの下位レイアの項目に「有効」が設定されているため、制御方法は、下位レイアに依存する。
【００４７】
最も優先度が低いレイア「０」の制御方法は、「無条件消灯」である。無条件消灯では、照明器具６は消灯するように制御される。
【００４８】
図１１は、本願記載の照明制御システムにて用いられる照明制御装置１の優先度ステータステーブル１１ｅに各レイアのステータス（調光状態）を示す情報が格納された複数例を概念的に示す説明図である。優先度ステータステーブル１１ｅは、一の照明器具６毎に、又はグループ化された複数の照明器具６毎に設定される。優先度ステータステーブル１１ｅには、各レイアのステータス（調光状態）を示す数値が格納されており、決定した制御の内容が結果として示されている。図１１では、各レイアに様々な数値が格納された複数の例を示している。
【００４９】
図１１（ａ）に例示した優先度ステータステーブル１１ｅでは、レイア「６０」のステータスとして「−１」が格納されており、「５０」には「−１」、「４０」には「７０」、「３０」には「−１」、「２０」には「１００」、「１０」には「−１」、そして「０」には「０」がそれぞれ格納されている。ステータスに格納された数値が「１００」〜「０」である場合、その数値は制御の対象となる照明器具６の調光度を示しており、数値が「−１」である場合、制御方法が下位のレイアに依存することを示している。図１１（ａ）に示した例では、レイア「６０」及び「５０」のステータスが「−１」であり、レイア「４０」のステータスが「７０」であることから、レイア「４０」、即ち、照度センサ制御により調光度は４０に制御される。そして、結果の欄に制御内容を示す「７０」が格納される。図１１（ａ）では、レイア「２０」の在席検知制御は、１００に設定されていることから、端末装置４を使用する担当者は在席しているが、照度制御センサによる制御が優先され、調光度が４０に制御される状況の例を示している。
【００５０】
図１１（ｂ）に例示した優先度ステータステーブル１１ｅでは、レイア「６０」のステータスとして「−１」が格納されており、「５０」には「−１」、「４０」には「−１」、「３０」には「−１」、「２０」には「１００」、「１０」には「−１」、そして「０」には「０」がそれぞれ格納されている。図１１（ｂ）に示した例では、レイア「６０」〜「３０」のステータスが「−１」であり、レイア「２０」のステータスが「１００」であることから、レイア「２０」、即ち、在席検知制御により調光度は１００に制御される。そして、結果の欄に制御内容を示す「１００」が格納される。図１１（ｂ）では、レイア「２０」の在席検知制御が選択され、端末装置４を使用する担当者が在席していることから、在席検知制御により、調光度が１００に制御される状況の例を示している。
【００５１】
図１１（ｃ）に例示した優先度ステータステーブル１１ｅでは、レイア「６０」のステータスとして「０」が格納されており、「５０」には「−１」、「４０」には「−１」、「３０」には「−１」、「２０」には「１００」、「１０」には「−１」、そして「０」には「０」がそれぞれ格納されている。図１１（ｃ）に示した例では、レイア「６０」のステータスが「０」であることから、レイア「６０」、即ち、手動制御により調光度は０に制御される。そして、結果の欄に制御内容を示す「０」が格納される。図１１（ｃ）では、レイア「２０」の在席検知制御は、１００に設定されていることから、端末装置４を使用する担当者は在席しているが、手動制御が優先され、調光度０として、消灯に制御される状況の例を示している。
【００５２】
図１１（ｄ）に例示した優先度ステータステーブル１１ｅでは、レイア「６０」のステータスとして「−１」が格納されており、「５０」には「−１」、「４０」には「−１」、「３０」には「０」、「２０」には「１００」、「１０」には「−１」、そして「０」には「０」がそれぞれ格納されている。図１１（ｄ）に示した例では、レイア「６０」〜「４０」のステータスが「−１」であり、レイア「３０」のステータスが「０」であることから、レイア「３０」、即ち、強制スケジュール制御により調光度は０に制御される。そして、結果の欄に制御内容を示す「０」が格納される。図１１（ｄ）では、レイア「２０」の在席検知制御は、１００に設定されていることから、端末装置４を使用する担当者は在席しているが、強制スケジュール制御が優先され、調光度０として、消灯に制御される状況の例を示している。具体例としては、昼休みの時間帯になると強制的に消灯する強制スケジュールが設定されている場合、端末装置４を使用する担当者が在席して、端末装置４を起動していても、消灯状態が維持される状況が挙げられる。
【００５３】
次に、照明制御装置１の照明器具６の調光度を決定して制御する処理について説明する。照明制御装置１は、複数の照明器具６のそれぞれについて、調光度を決定し、決定した調光度に基づいて各照明器具６の調光度を制御する。図１２は、本願記載の照明制御システムにて用いられる照明制御装置１の照明制御処理の一例を示すフローチャートである。照明制御装置１が備える制御部１０は、記録部１１に記録された照明制御プログラム１１ａ等の各種プログラムを実行することにより、調光度制御処理を実行する。
【００５４】
照明制御装置１が備える制御部１０は、記録部１１の優先度テーブル１１ｄ及び優先度ステータステーブル１１ｅの記録内容に基づいて、手動制御をするか否かを判定する（Ｓ１）。ステップＳ１では、優先度テーブル１１ｄ及び優先度ステータステーブル１１ｅを参照して、優先度が最も高い手動制御をするか否かの判定を行う。
【００５５】
ステップＳ１において、手動制御をすると判定した場合（Ｓ１：ＹＥＳ）、制御部１０は、調光度の制御方法を、手動制御に決定し、更に、手動制御による調光度を決定する（Ｓ２）。ステップＳ２の調光度の決定は、照明器具レイアウトデータベース１１ｃの手動制御フラグの項目を参照して決定される。
【００５６】
ステップＳ２にて調光度を決定した制御部１０は、決定した調光度に基づいて照明器具レイアウトデータベース１１ｃの照明点滅ステータスを更新する（Ｓ３）。
【００５７】
そして、制御部１０は、照明器具レイアウトデータベース１１ｃを読み取り、照明点滅ステータスの記録内容に基づいて、照明器具６を制御する命令を、通信部１３から器具制御装置５へ送信する照明制御指示処理を実行する（Ｓ４）。送信先となる器具制御装置５は、照明器具レイアウトデータベース１１ｃに基づいて決定される。ステップＳ４において、照明制御装置１は、照明器具６を制御する命令を器具制御装置５へ送信することにより、照明器具６を制御する。
【００５８】
ステップＳ１において、手動制御をしないと判定した場合（Ｓ１：ＮＯ）、制御部１０は、記録部１１の優先度テーブル１１ｄ及び優先度ステータステーブル１１ｅの記録内容に基づいて、端末装置起動数制御をするか否かを判定する（Ｓ５）。ステップＳ５では、優先度テーブル１１ｄ及び優先度ステータステーブル１１ｅを参照して、手動制御の次に優先度が高い端末装置起動数制御をするか否かの判定を行う。
【００５９】
ステップＳ５において、端末装置起動数制御をすると判定した場合（Ｓ５：ＹＥＳ）、制御部１０は、調光度の制御方法を、端末装置起動数制御に決定し、更に、端末装置起動数制御による調光度を決定する（Ｓ６）。端末装置４の起動数は、デスクレイアウトデータベース１１ｂの在席状況フラグを参照することにより、端末接続装置３が検出した結果に基づいて算出される。なお、ステップＳ５の処理を実行する都度、端末接続装置３に問合せを行い、端末装置４の起動状況を検出するようにしてもよい。なお、起動数を算出する端末装置４の母集団は、全体であっても、フロア全体等の予め設定された一群の集団であってもよい。そして、算出された端末装置４の起動数が所定の条件を満たすか否かを判定することにより、ステップＳ６において、調光度が決定される。
【００６０】
ステップＳ６にて調光度を決定した制御部１０は、ステップＳ３に進み、以降の処理を実行する。
【００６１】
ステップＳ５において、端末装置起動数制御をしないと判定した場合（Ｓ５：ＮＯ）、制御部１０は、記録部１１の優先度テーブル１１ｄ及び優先度ステータステーブル１１ｅの記録内容に基づいて、照度センサ制御をするか否かを判定する（Ｓ７）。ステップＳ７では、優先度テーブル１１ｄ及び優先度ステータステーブル１１ｅを参照して、端末装置起動数制御の次に優先度が高い照度センサ制御をするか否かの判定を行う。
【００６２】
ステップＳ７において、照度センサ制御をすると判定した場合（Ｓ７：ＹＥＳ）、制御部１０は、調光度の制御方法を、照度センサ制御に決定し、更に、照度センサ制御による調光度を決定する（Ｓ８）。ステップＳ８において、制御部１０は、照度センサ７による照度の検出結果を、器具制御装置５を介して取得し、取得した照度に基づいて調光度を決定する。
【００６３】
ステップＳ８にて調光度を決定した制御部１０は、ステップＳ３に進み、以降の処理を実行する。
【００６４】
ステップＳ７において、照度センサ制御をしないと判定した場合（Ｓ７：ＮＯ）、制御部１０は、記録部１１の優先度テーブル１１ｄ及び優先度ステータステーブル１１ｅの記録内容に基づいて、強制スケジュール制御をするか否かを判定する（Ｓ９）。ステップＳ９では、優先度テーブル１１ｄ及び優先度ステータステーブル１１ｅを参照して、照度センサ制御の次に優先度が高い強制スケジュール制御をするか否かの判定を行う。
【００６５】
ステップＳ９において、強制スケジュール制御をすると判定した場合（Ｓ９：ＹＥＳ）、制御部１０は、調光度の制御方法を、強制スケジュール制御に決定し、更に、強制スケジュール制御による調光度を決定する（Ｓ１０）。ステップＳ１０において、制御部１０は、スケジュールテーブル１１ｆに記録されている強制スケジュールの内容を参照して、調光度を決定する。
【００６６】
ステップＳ１０にて調光度を決定した制御部１０は、ステップＳ３に進み、以降の処理を実行する。
【００６７】
ステップＳ９において、強制スケジュール制御をしないと判定した場合（Ｓ９：ＮＯ）、制御部１０は、記録部１１の優先度テーブル１１ｄ及び優先度ステータステーブル１１ｅの記録内容に基づいて、在席検知制御をするか否かを判定する（Ｓ１１）。ステップＳ１１では、優先度テーブル１１ｄ及び優先度ステータステーブル１１ｅを参照して、強制スケジュール制御の次に優先度が高い在席検知制御をするか否かの判定を行う。
【００６８】
ステップＳ１１において、在席検知制御をすると判定した場合（Ｓ１１：ＹＥＳ）、制御部１０は、調光度の制御方法を、在席検知制御に決定し、更に、在席検知制御による調光度を決定する（Ｓ１２）。ステップＳ１２の在席検知制御による調光度の決定処理の詳細については後述する。
【００６９】
ステップＳ１２にて調光度を決定した制御部１０は、ステップＳ３に進み、以降の処理を実行する。
【００７０】
ステップＳ１１において、在席検知制御をしないと判定した場合（Ｓ１１：ＮＯ）、制御部１０は、記録部１１の優先度テーブル１１ｄ及び優先度ステータステーブル１１ｅの記録内容に基づいて、通常スケジュール制御をするか否かを判定する（Ｓ１３）。ステップＳ１３では、優先度テーブル１１ｄ及び優先度ステータステーブル１１ｅを参照して、在席検知制御の次に優先度が高い通常スケジュール制御をするか否かの判定を行う。
【００７１】
ステップＳ１３において、通常スケジュール制御をすると判定した場合（Ｓ１３：ＹＥＳ）、制御部１０は、調光度の制御方法を、通常スケジュール制御に決定し、更に、通常スケジュール制御による調光度を決定する（Ｓ１４）。ステップＳ１４において、制御部１０は、スケジュールテーブル１１ｆに記録されている通常スケジュールの内容を参照して、調光度を決定する。
【００７２】
ステップＳ１４にて調光度を決定した制御部１０は、ステップＳ３に進み、以降の処理を実行する。
【００７３】
ステップＳ１３において、通常スケジュール制御をしないと判定した場合（Ｓ１３：ＮＯ）、制御部１０は、調光度を０、即ち、消灯に決定する（Ｓ１５）。
【００７４】
ステップＳ１５にて調光度を決定した制御部１０は、ステップＳ３に進み、以降の処理を実行する。
【００７５】
照明制御装置１は、以上説明した調光度制御処理を、個々の照明器具６毎に実施する。なお、ステップＳ４に示した照明制御処理は、個々の照明器具６の調光度を決定する毎に行ってもよく、また、複数の照明器具６、例えば、フロア内の照明器具６の全ての調光度を決定した後、一括してステップＳ４の照明制御指示処理を行うようにしてもよい。
【００７６】
照明制御処理のステップＳ１２として説明した在席検知制御による調光度制御処理について更に説明する。図１３は、本願記載の照明制御システムにて用いられる照明制御装置１の調光度制御処理の一例を示すフローチャートである。照明制御装置１の制御部１０は、ステップＳ１２の在席検知制御による調光度制御処理として、照明器具レイアウトデータベース１１ｃの記録内容に基づいて、制御の対象とする照明器具６に関連する端末装置範囲を取得する（Ｓ１２１）。ステップＳ１２１の端末装置範囲の取得は、照明器具レイアウトデータベース１１ｃに、照明器具ＩＤに対応付けた端末装置範囲として記録されている端末装置ＩＤ及び調光度の取得である。
【００７７】
制御部１０は、取得した端末装置ＩＤに基づいて、デスクレイアウトデータベース１１ｂの記録内容を参照することにより、端末装置４の起動状況を検出する（Ｓ１２２）。ステップＳ１２２の端末装置４の起動状況の検出は、デスクレイアウトデータベース１１ｂの在席状況フラグを参照することで、ＳＮＭＰ等の通信規約にて端末接続装置３から通知された起動状況を検出することにより実行される。なお、ステップＳ１２２の起動状況の検出処理を実行する都度、端末接続装置３に問い合わせを行い、端末装置４の起動状況を検出するようにしてもよい。
【００７８】
制御部１０は、検出した端末装置４の起動状況に基づいて、照明器具６の調光度を決定する（Ｓ１２３）。例えば、調光度決定の対象となる照明器具６に対し、端末装置ＩＤとして識別される端末装置４が起動している場合、調光度は、端末装置ＩＤに対応付けられた調光度を示す「１００」、「５０」等の値に決定される。なお、一の照明器具６に対する端末装置ＩＤとして、複数の端末装置４が設定されており、複数の端末装置４がいずれも起動している場合、それぞれの調光度のうちで最も高い数値に決定される。
【００７９】
ステップＳ１２１〜Ｓ１２３の処理として、ステップＳ１２の在席検知制御による調光度制御処理を実行後、制御部１０は、調光度制御処理のステップＳ３へ進み、照明器具レイアウトデータベース１１ｃの照明点滅ステータスを更新する。
【００８０】
以上のようにして、照明制御装置１は、各照明器具６を制御するための処理を実行する。
【００８１】
［在席検知制御の具体例］
次に、在席検知制御を実施した場合の照明制御結果の具体例について説明する。図１４は、本願記載の照明制御システムによる在席検知制御の概要を模式的に示す説明図である。図１４は、前述した在席検知制御を示している。端末装置４を用いて事務作業を行う担当者が在席し、作業のために端末装置４を起動すると、端末装置４と端末接続装置３との有線通信の接続が確立され、端末接続装置３は、端末装置４が起動状態にあることを検出する。起動状況にあることを検出した端末接続装置３は、ＳＮＭＰの規定に従って、起動状況を示す情報を基幹接続装置２を介して、照明制御装置１へ送信する。照明制御装置１は、受信した起動状況を示す情報に基づいて、端末装置４の起動状況を在席状況として検出し、端末装置４の直上及び周辺の照明器具６を点灯制御すべく、照明器具６を制御する命令を器具制御装置５へ送信する。器具制御装置５は、受信した命令に従って照明器具６を点灯させて調光度を制御する。そして、担当者が、作業を終え、端末装置４の電源を落とした場合、反対の処理が行われて、照明器具６は消灯する。
【００８２】
図１５は、本願記載の照明制御システムによる在席検知制御の結果の一例を示す説明図である。図１５は、座席のレイアウトを示す座席配置図に、照明器具６のレイアウトを示す照明器具配置図を重畳し、在席状況と点灯状況とを模式的に示している。なお、図１５（ａ）は、在席検知制御を行わない場合の状況を比較用に示しており、図１５（ｂ）は、座席検知制御による状況を示している。図１５においては、担当者が在席し、端末装置４が起動されている座席は、交差する斜線にて示している。また、消灯又は１の調光度の照明器具６は白抜き、１００の調光度で点灯している照明器具６は黒、５０の調光度で点灯している照明器具６は斜線にて、それぞれ示している。図１５（ａ）に示しているように、在席検知制御をしない場合、フロア内で事務作業用のエリアに配設された照明器具６は全て点灯している。他方、図１５（ｂ）に示すように、在席検知制御をすることにより、担当者が在席している座席の直上の照明器具６は調光度１００で点灯し、周辺の照明器具６は調光度５０て点灯しているが、その他の照明器具６は消灯（又は調光度１）となっている。このように、在席検知制御を行うことにより、必要な箇所の照明器具６のみを点灯することにより、省エネルギーに寄与することができる。
【００８３】
このように、本願記載の照明制御システムでは、ＳＮＭＰ等の通信規約により端末装置４の起動状況を検出し、検出した起動状況に基づく在席検知制御を行うことにより、必要な箇所の照明器具６を点灯し、不要な照明器具６を消灯することができるので省エネルギーに寄与することが可能である。
【００８４】
また、本願記載の照明制御システムは、人感センサを用いて在席検知する場合と比べ、人感センサを必ずしも各座席に設置する必要が無いため、工事期間の長期化、イニシャルコストの増大、レイアウト変更の際に人感センサの移設工事が必要となる等の人感センサの設置に伴う様々な問題の発生を防止することが可能である。したがって、全体としてのコストを抑制することが可能となる。
【００８５】
更に、本願記載の照明制御システムは、制御機器の調光度の様々な制御方法に優先度を付与し、適宜使い分けるため、就業時間帯、昼休み、深夜、緊急時等の状況に応じた適正な制御を実現することが可能である。
【００８６】
本発明は、以上説明した実施形態に限定されるのではなく、他の色々な形態で実施することが可能である。そのため、上述した実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形や変更は、全て本発明の範囲内のものである。
【００８７】
例えば、前記実施形態に示したシステム構成は、あくまでも一例であり、各種接続装置、端末装置４、照明器具６の配置は適宜設計することが可能である。
【００８８】
また、前記実施形態では、ＳＮＭＰに基づいて在席状況を検出する形態を示したが、本発明はこれに限らず、ＳＮＭＰ以外の通信規約を用いてもよく、また、通信規約以外の他の方法、例えば、端末装置４への通電状況の検出等の方法により端末装置４の起動状況を検出し、検出した起動状況に基づいて照明器具６を制御するようにしてもよい等、様々な形態に展開することが可能である。
【００８９】
また、前記実施形態では、端末接続装置３が端末装置４の起動状況を検出して、照明制御装置１へ通知する形態を示したが、本発明はこれに限らず、照明制御装置１が端末装置４の起動状況を直接検出するようにしてもよい等、様々な形態に展開することが可能である。
【００９０】
また、前記実施形態では、照明制御装置１が、器具制御装置５を介して照明器具６の調光度を制御する形態を示したが、本発明はこれに限らず、照明制御装置１が照明器具６の調光度を直接制御するようにしてもよい等、様々な形態に展開することが可能である。
【００９１】
更に、前記実施形態では、オフィスに適用する形態を示したが、本発明はこれに限らず、住宅等の建造物にも適用することが可能である等、様々な形態に展開することが可能である。
【符号の説明】
【００９２】
１          照明制御装置
１０        制御部
１１        記録部
１１ａ      照明制御プログラム
１１ｂ      デスクレイアウトデータベース（デスクレイアウトＤＢ）
１１ｃ      照明器具レイアウトデータベース（照明器具レイアウトＤＢ）
１１ｄ      優先度テーブル
１１ｅ      優先度ステータステーブル
１１ｆ      スケジュールテーブル
１２        記憶部
１３        通信部
２          基幹接続装置
３          端末接続装置（接続装置）
３３        通信部（起動状況検出部）
４          端末装置
５          器具制御装置
６          照明器具
【図１】
2019040817.tif 000003
【図２】
2019040817.tif 000004
【図３】
2019040817.tif 000005
【図４】
2019040817.tif 000006
【図５】
2019040817.tif 000007
【図６】
2019040817.tif 000008
【図７】
2019040817.tif 000009
【図８】
2019040817.tif 000010
【図９】
2019040817.tif 000011
【図１０】
2019040817.tif 000012
【図１１】
2019040817.tif 000013
【図１２】
2019040817.tif 000014
【図１３】
2019040817.tif 000015
【図１４】
2019040817.tif 000016
【図１５】
2019040817.tif 000017